(57)【要約】【課題】メモリーチップを保護する保護カバーを容易に取り外せないようにする。【解決手段】ビス（３０）がビス穴（２３）を通じてビス受け部（１２）にねじ込まれる状態では、ストッパ（４１）がビス（３０）に接することによって、保護カバー（２０）の裏面におけるキャビネット１０）の開口（１１）に重畳する位置に、ストッパ（４１）の全部が配置される。ビス（３０）が保護カバー（２０）から取り外された状態では、キャビネット（１０）に重畳する位置にストッパ（４１）の一部が配置される。【選択図】図１
2020202544.tif 000002
【特許請求の範囲】
【請求項１】
メモリーチップが着脱可能に装着される電子機器であって、
ビス受け部を有し、かつ開口が形成されるキャビネットと、
ビス穴を有し、かつ前記メモリーチップを保護する保護カバーと、
前記ビス穴を通じて前記ビス受け部にねじ込まれることによって、前記保護カバーを前記キャビネットに固定するビスと、
前記保護カバーの裏面に配置されるストッパであって、前記ビスが前記ビス穴を通じて前記ビス受け部にねじ込まれる第１状態では、前記ビスに接することによって前記保護カバーの裏面における前記開口に重畳する位置にストッパの全部が配置されると共に、前記ビスが前記保護カバーから取り外された第２状態では、前記キャビネットに重畳する位置にストッパの一部が配置されるストッパとを備えていることを特徴とする電子機器。
【請求項２】
前記ストッパの一端に接続されると共に、前記ストッパを前記保護カバーの面方向において回動自在に保持する軸部と、
前記ストッパの前記一端に接続されるバネとをさらに備えており、
前記第１状態では、前記バネが伸びた状態で前記ストッパが前記ビスに接していることを特徴とする請求項１に記載の電子機器。
【請求項３】
前記第１状態において、前記ストッパは、前記ビスにおける鉛直方向の上側において前記ビスによって支えられており、
前記ストッパは、前記ビスが前記保護カバーから取り外されると、自由落下により前記ビスよりも鉛直方向の下方に移動し、
前記ビスよりも鉛直方向の下側に配置され、前記第２状態において移動後の前記ストッパを支える支持部をさらに備えていることを特徴とする請求項１に記載の電子機器。
【請求項４】
前記ストッパの一端に接続されると共に、前記ストッパを前記保護カバーの面方向において回動自在に保持する軸部をさらに備えており、
前記第１状態では、前記ストッパが前記ビスにおける鉛直方向の上側に接していることを特徴とする請求項１に記載の電子機器。
【請求項５】
前記ストッパの一端に接続されると共に、前記ストッパを前記保護カバーの面方向において回動自在に保持する軸部と、
滑車と、
前記滑車の外周に接すると共に、一端が前記ストッパに接続されるロープと、
前記ロープの他端に接続される重りとをさらに備えていることを特徴とする請求項１に記載の電子機器。
【請求項６】
前記ストッパの一端に接続されると共に、前記ストッパを前記保護カバーの面方向において回動自在に保持する軸部と、
前記軸部に一端が接続される棒状の重りとをさらに備えており、
前記第１状態では、前記重りが鉛直方向に対して非平行に配置されることを特徴とする請求項１に記載の電子機器。
【発明の詳細な説明】
【技術分野】
【０００１】
本発明は、電子機器に関する。
【背景技術】
【０００２】
近年、テレビジョン装置を含む各種の電子機器において、メモリーカードを保護するための工夫がなされている。そのような工夫が適用された電子機器の一例が、特許文献１に開示される。
【０００３】
特許文献１には、メモリーカードを装着するスロットを外装面に備えた電子機器の外装構造において、前記スロットに挿入されたメモリーカードの突出部を包囲するために外装面に着脱自在に取り付けられる保護カバーを備え、前記保護カバーは、一面が開放した箱状のカバー本体と、該カバー本体の開放周縁部の少なくとも２カ所に設けられる着脱手段と、を備え、一方の着脱手段は、外装面に設けた係止穴に係止される引っ掛け片であり、他方の着脱手段は、外装面に設けた係止穴内に弾性的に係止するスナップフィット片であることを特徴とする電子機器の外装構造が開示される。
【先行技術文献】
【特許文献】
【０００４】
【特許文献１】特開２００２−３４２７１７号公報
【発明の概要】
【発明が解決しようとする課題】
【０００５】
特許文献１の技術では、ドライバ等を用いてビスを外すという一般的な手法によって、保護カバーを容易に取り外すことができる。そのため、誰でも容易に保護カバーを取り外すことができるとう問題が生ずる。
【０００６】
本発明の一態様は、メモリーチップを保護する保護カバーを容易に取り外せないようにすることを目的とする。
【課題を解決するための手段】
【０００７】
上記の課題を解決するために、本発明に係る電子機器は、メモリーチップが着脱可能に装着される電子機器であって、ビス受け部を有し、かつ開口が形成されるキャビネットと、ビス穴を有し、かつ前記メモリーチップを保護する保護カバーと、前記ビス穴を通じて前記ビス受け部にねじ込まれることによって、前記保護カバーを前記キャビネットに固定するビスと、前記保護カバーの裏面に配置されるストッパであって、前記ビスが前記ビス穴を通じて前記ビス受け部にねじ込まれる第１状態では、前記ビスに接することによって前記保護カバーの裏面における前記開口に重畳する位置にストッパの全部が配置されると共に、前記ビスが前記保護カバーから取り外された第２状態では、前記キャビネットに重畳する位置にストッパの一部が配置されるストッパとを備えている構成である。
【発明の効果】
【０００８】
本発明の一態様によれば、メモリーチップを保護する保護カバーを容易に取り外せないようにすることができるという効果を奏する。
【図面の簡単な説明】
【０００９】
【図１】本発明の一実施形態に係るチップ装着部の構成を示す図である。
【図２】本発明の一実施形態に係るテレビジョン装置の構成を示すブロック図である。
【図３】本発明の一実施形態に係るチップ装着部の構成を示す図である。
【図４】本発明の一実施形態に係るチップ装着部の構成を示す図である。
【図５】本発明の一実施形態に係るチップ装着部の構成を示す図である。
【図６】本発明の一実施形態に係るチップ装着部の構成を示す図である。
【図７】本発明の一実施形態に係るチップ装着部の構成を示す図である。
【図８】本発明の一実施形態に係るチップ装着部の構成を示す図である。
【図９】本発明の一実施形態に係るチップ装着部の構成を示す図である。
【発明を実施するための形態】
【００１０】
〔実施形態１〕
（テレビジョン装置１の構成）
図２は、本発明の一実施形態に係るテレビジョン装置１の構成を示すブロック図である。図２において、１２１０は、テレビジョン装置１（電子機器）の正面を示し、１２２０は、テレビジョン装置１の背面を示す。この図に示すように、テレビジョン装置１（機器）は、表示パネル２およびチップ装着部４を備えている。表示パネル２は映像を表示する部品であり、本実施形態では液晶パネルである。チップ装着部４は、テレビジョン装置１の背面に設けられる。チップ装着部４は、その内部に図示しないメモリーチップが着脱可能に装着される。テレビジョン装置１は、チップ装着部４に装着されたメモリーチップから、当該チップに書き込まれた情報を読み取る。本実施形態では、メモリーチップは、テレビジョン装置１において衛星放送の受信を可能とする情報（例えばＡＣＡＳ番号）が書き込まれたチップ（例えばＡＣＡＳチップ）である。これに限らず、メモリーチップは、例えば録画番組のデータを書き込むためのメモリーチップであってもよい。
【００１１】
本実施形態では、メモリーチップは、カード形状のチップである。したがって、メモリーチップは、一種のメモリーカードであると言える。なお、メモリーチップは、カード形状のチップに限らず、例えば基板であってもよい。
【００１２】
図１は、本発明の一実施形態に係るチップ装着部４の構成を示す図である。図１において、１１１０は、チップ装着部４の正面を示し、１１２０は、チップ装着部４の正面に対向する裏面を示し、１１３０は、チップ装着部４の上面を示す。この図に示すように、チップ装着部４は、キャビネット１０、保護カバー２０、およびビス３０を備えている。キャビネット１０は、チップ装着部４の本体を成す筐体である。保護カバー２０は、チップ装着部４の内部に格納されるメモリーチップを保護するカバーである。ビス３０は、保護カバー２０をキャビネット１０にねじ止めするためのビスである。
【００１３】
キャビネット１０には、所定の形状を有する開口１１が形成されている。保護カバー２０は、保護カバー２０の裏面に設けられる爪２１およびキャップ２２を備えている。爪２１は、保護カバー２０がキャビネット１０に取り付けられる際、キャビネット１０の裏側に勘合する部材である。キャップ２２は、保護カバー２０の取り付け時に、チップ装着部４内のメモリーチップにはめ込まれる部材である。
【００１４】
キャビネット１０は、ビス受け部１２および一対のリンク１３を備えている。ビス受け部１２は、チップ装着部４の内部において、ビス受け部１２の両面にそれぞれ接続される一対のリンク１３によって支えられている。保護カバー２０は、ビス穴２３を有している。図１に示すように保護カバー２０をキャビネット１０に取り付ける際、ビス３０はビス穴２３を通じてビス受け部１２にねじ込まれる。これによりビス３０は、保護カバー２０をキャビネット１０に固定する。
【００１５】
チップ装着部４は、いずれも保護カバー２０の裏面に設けられるストッパ４１、軸部４２、およびバネ４３をさらに備えている。ストッパ４１は、保護カバー２０の裏面に配置され、例えば金属材料（好ましくは剛性の高い材料）によって構成される棒状の部材である。軸部４２は、ストッパ４１の一端に接続されると共に、ストッパ４１を保護カバー２０の面方向において回動自在に保持する。図１では、軸部４２はビス穴２３よりも下方に設けられる。バネ４３は、ストッパ４１の一端、すなわちストッパ４１における軸部４２に接続される一端に、接続される。
【００１６】
図１の１１２０に示すように、ビス３０がビス穴２３を通じてビス受け部１２にねじ込まれる状態（第１状態）では、ビス３０に接することによってキャビネット１０の裏面における開口１１に重畳する位置に、ストッパ４１の全部が配置される。すなわち、ストッパ４１はキャビネット１０にまったく重畳していない。この状態では、バネ４３が伸びた状態で、ストッパ４１がビス３０に接している。したがって、バネ４３にはバネ４３を縮ませようとする力が働き、これによりストッパ４１には保護カバー２０の面方向に回転しようとする力が歯たれている。しかし、ストッパ４１はビス３０が邪魔をして回転できないようになっている。
【００１７】
図３は、本発明の一実施形態に係るチップ装着部４の構成を示す図である。図３において、１３１０は、ビス３０がビス受け部１２から外れた状態のチップ装着部４の上面を示し、１１２０は、保護カバー２０がキャビネット１０から外された状態のチップ装着部４の上面を示し、１１３０は、保護カバー２０がキャビネット１０から外された状態のチップ装着部４の内部を示す。図３は、保護カバー２０を正常に取り外すための手順を説明する。作業者は、ドライバを用いてビス３０を保護カバー２０から外そうとする。その際、ビス３０を保護カバー２０から完全に外さずに、ビス３０がビス受け部１２から外れると共にビス３０がビス穴２３に挿入されている程度に留める。この際、図３の１３１０に示すように、ストッパ４１は依然としてビス３０に接しているため、図１の１１２０に示す位置と同じ位置に配置され続ける。これにより、ストッパ４１がキャビネット１０と重畳しないため、ストッパ４１がロックとして機能しない。結果、作業者が例えば保護カバー２０を手で掴み、爪２１を外すように軽く保護カバー２０を左右に動かせば、図３の１３２０に示すように、保護カバー２０をキャビネット１０から容易に取り外すことができる。
【００１８】
図３の１３３０に示すように、チップ装着部４は、その内部に配置されるスロット５１をさらに備えている。図３では、スロット５１に、メモリーチップ５２が挿入される。作業者は、保護カバー２０を取り外した後、メモリーチップ５２をスロット５１から抜き出すことができる。
【００１９】
図４は、本発明の一実施形態に係るチップ装着部４の構成を示す図である。図４において、１４１０は、ビス３０が保護カバー２０から完全に外れた状態のチップ装着部４の上面を示し、１４２０は、ビス３０が保護カバー２０から完全に外れた状態のチップ装着部４の内部の裏面を示す。図４は、保護カバー２０をロックする仕組みを説明する。例えば、保護カバー２０のロック機能を知らないユーザが、図４に示すように、ドライバを用いてビス３０を保護カバー２０から完全に取り外したとする。これにより、図４の１４２０に示すように、ストッパ４１を支えるビス３０がなくなることにより、バネ４３が元に戻ろうとする力がストッパ４１に働くことによって、軸部４２を中心とした回転力がストッパ４１に作用する。その結果、ストッパ４１は、図４における紙面の右方向に回転移動し、支持部４４によって支えられる位置まで移動して停止する。その際、ストッパ４１の一部がキャビネット１０の重畳することによって、ストッパ４１が保護カバー２０をロックすることになる。このように、ビス３０が保護カバー２０から取り外された状態（第２状態）では、キャビネット１０に重畳する位置にストッパ４１の一部が配置されるようになる。
【００２０】
ユーザは、ビス３０を外した後、保護カバー２０をキャビネット１０から取り外そうとする。この際、図４の１４２０に示すように、ストッパ４１の一部がキャビネット１０に重畳しているため、ストッパ４１がキャビネット１０に引っかかって、保護カバー２０をキャビネット１０から正常に取り外すことができない。ユーザは、保護カバー２０を取り外すための手順、すなわちビス３０を途中まで外した状態に留めることによって、ストッパ４１がロック位置までに移動しないようにして、保護カバー２０を取り外すという手順を知らない。そのため、このような手順を知らないユーザは、保護カバー２０をキャビネット１０から容易に取り外すことができない。
【００２１】
以上のように、本実施形態によれば、ビス３０を保護カバー２０から完全に取り外した場合には、バネの復元力によってストッパ４１が移動して保護カバー２０をロックするが、ビス３０を途中まで外した状態に留めた場合にはストッパ４１が移動せずに保護カバー２０をロックしないので、このような仕組みを知らないユーザが、メモリーチップ５２を保護する保護カバー２０をキャビネット１０から容易に取り外せないようにすることができる。
【００２２】
〔実施形態２〕
図５は、本発明の一実施形態に係るチップ装着部４Ａの構成を示す図である。図５において、１５１０は、チップ装着部４Ａの正面を示し、１５２０は、チップ装着部４Ａの正面に対向する裏面を示し、１５３０は、チップ装着部４Ａの上面を示す。本実施形態のテレビジョン装置１は、図５に示すチップ装着部４Ａを備えている。チップ装着部４Ｂは、ストッパ４１の代わりに、ストッパ４１Ａを備えている。また、チップ装着部４Ａは、軸部４２およびバネ４３を備えていない。チップ装着部４Ａは、チップ装着部４と同様に支持部４４を備えている。
【００２３】
保護カバー２０には、ビス穴２３の両側に配置される一対のスリット２４が形成されている。ストッパ４１Ａは、保護カバー２０の裏面に配置される棒状の第１部分と、当該第１部分に接続され、かつ各スリット２４に挿入される棒状の一対の第２部分とを有する。ビス３０がビス穴２３を通じてビス受け部１２にねじ込まれる状態では、ストッパ４１Ａは、ビス３０における鉛直方向の上側においてビス３０によって支えられている。すなわち、ビス３０が支えとなって、ストッパ４１が下方に落下することを防いでいる。
【００２４】
チップ装着部４Ａにおいて、支持部４４は、ビス３０よりも鉛直方向の下側に配置される。図５の１５２０に示すように、支持部４４は、一対のスリット２４の間に配置される。
【００２５】
本実施形態における保護カバー２０の正常な取り外し方は、実施形態１と同一である。すなわち、ビス３０を保護カバー２０から完全に外さずに、ビス３０がビス受け部１２から外れると共にビス３０がビス穴２３に挿入されている程度に留めれば、ストッパ４１は依然としてビス３０によって支えられるため、鉛直下向きに自由落下することがない。したがって、ストッパ４１が保護カバー２０をロックしないため、このまま保護カバー２０をキャビネット１０から容易に取り外すことができる。
【００２６】
図６は、本発明の一実施形態に係るチップ装着部４Ａの構成を示す図である。図６は、ビス３０が保護カバー２０から完全に外れた状態のチップ装着部４Ａの内部の裏面を示す。この図に示すように、ストッパ４１Ａは、ビス３０が保護カバー２０から取り外されると、一対のスリット２４に挿入される第２部分が一対のスリット２４に沿って下方に移動する形で、自由落下する。これにより、ストッパ４１Ａは、ビス穴２３よりも鉛直方向の下方に移動する。ストッパ４１Ａは、支持部４４の上部まで移動した後、支持部４４によって支えられる。この際、１つの支持部４４がストッパ４１Ａを下側から支えているが、仮にストッパ４１Ａを斜めに傾けようとする力がストッパ４１Ａに働いたとしても、一対のスリット２４に挿入される第２部分が保護カバー２０におけるスリット２４の形成箇所に接することで、ストッパ４１が斜めに傾いたり、それによりストッパ４１が支持部４４よりも下方に落ちたりすることを防止できる。
【００２７】
図６に示すように、ストッパ４１が支持部４４によって支えられる際、ストッパ４１の一部がキャビネット１０の重畳することによって、ストッパ４１が保護カバー２０をロックすることになる。したがって、ストッパ４１がキャビネット１０に引っかかるので、ユーザは保護カバー２０をキャビネット１０から正常に取り外すことができない。
【００２８】
以上のように、本実施形態では、ビス３０を保護カバー２０から完全に取り外した場合には、自由落下によってストッパ４１が移動して保護カバー２０をロックするが、ビス３０を途中まで外した状態に留めた場合にはストッパ４１が移動せずに保護カバー２０をロックしないので、このような仕組みを知らないユーザが、メモリーチップ５２を保護する保護カバー２０をキャビネット１０から容易に取り外せないようにすることができる。
【００２９】
〔実施形態３〕
図７は、本発明の一実施形態に係るチップ装着部４Ｂの構成を示す図である。図７において、１７１０は、ビス３０がビス穴２３を通じてビス受け部１２にねじ込まれる状態のチップ装着部４Ｂの内部の裏面を示し、１４２０は、ビス３０が保護カバー２０から完全に外れた状態のチップ装着部４Ｂの内部の裏面を示す。本実施形態のテレビジョン装置１は、図７に示すチップ装着部４Ｂを備えている。チップ装着部４Ｂは、ストッパ４１および軸部４２を備えている点で、チップ装着部４と同一である。しかし、チップ装着部４Ｂは、バネ４３および支持部４４を備えていない。また、チップ装着部４Ｂにおいて、ストッパ４１および軸部４２は、いずれもビス穴２３よりも鉛直上方に配置される。これにより、ビス３０がビス穴２３を通じてビス受け部１２にねじ込まれる状態では、ストッパ４１は、ビス３０における延長方向の上部に接している。ストッパ４１には、その自重によって鉛直下向きへの回転力が係っているが、ビス穴２３に挿入されるビス３０がストッパ４１を支えているため、ストッパ４１はその全長を保護カバー２０における開口１１と重畳する裏面に配置した状態を維持している。
【００３０】
本実施形態における保護カバー２０の正常な取り外し方は、実施形態１と同一である。すなわち、ビス３０を保護カバー２０から完全に外さずに、ビス３０がビス受け部１２から外れると共にビス３０がビス穴２３に挿入されている程度に留めれば、ストッパ４１は依然としてビス３０によって支えられるため、鉛直下向きに回転移動することがない。したがって、ストッパ４１が保護カバー２０をロックしないため、このまま保護カバー２０をキャビネット１０から容易に取り外すことができる。
【００３１】
図７は、保護カバー２０をロックする仕組みを説明する。例えば、保護カバー２０のロック機能を知らないユーザが、図７の１７２０に示すように、ドライバを用いてビス３０を保護カバー２０から完全に取り外したとする。これにより、ストッパ４１を支えるビス３０がなくなることにより、ストッパ４１が自重によって鉛直下向きに回転移動し、やがて、鉛直方向と水平な方向に配置される位置で停止する。その際、ストッパ４１の一部がキャビネット１０の重畳することによって、ストッパ４１が保護カバー２０をロックすることになる。したがって、ストッパ４１がキャビネット１０に引っかかるので、ユーザは保護カバー２０をキャビネット１０から正常に取り外すことができない。
【００３２】
以上のように、本実施形態では、ビス３０を保護カバー２０から完全に取り外した場合には、自重によってストッパ４１が移動して保護カバー２０をロックするが、ビス３０を途中まで外した状態に留めた場合にはストッパ４１が移動せずに保護カバー２０をロックしないので、このような仕組みを知らないユーザが、メモリーチップ５２を保護する保護カバー２０をキャビネット１０から容易に取り外せないようにすることができる。
【００３３】
〔実施形態４〕
図８は、本発明の一実施形態に係るチップ装着部４Ｃの構成を示す図である。図８において、１８１０は、ビス３０がビス穴２３を通じてビス受け部１２にねじ込まれる状態のチップ装着部４Ｃの内部の裏面を示し、１８２０は、ビス３０が保護カバー２０から完全に外れた状態のチップ装着部４Ｃの内部の裏面を示す。本実施形態のテレビジョン装置１は、図８に示すチップ装着部４Ｃを備えている。チップ装着部４Ｃは、ストッパ４１および軸部４２を備えている点で、チップ装着部４と同一である。しかし、チップ装着部４Ｃは、バネ４３および支持部４４を備えていない。また、チップ装着部４Ｂは、いずれもキャビネット１０の裏面に配置される滑車４５、ロープ４６、および重り４７をさらに備えている。
【００３４】
チップ装着部４Ｃにおいて、ストッパ４１および軸部４２の配置は、チップ装着部４と同一である。滑車４５は、軸部４２よりも鉛直方向のやや上側に配置される。ロープ４６の一端は、ストッパ４１に接続され、他端は、重り４７に接続される。また、ロープ４６は、滑車４５の外周に接している。
【００３５】
チップ装着部４Ｃにおいて、ビス３０がビス穴２３を通じてビス受け部１２にねじ込まれる状態では、ストッパ４１は、ビス３０に接している。ストッパ４１には、ロープ４６を通じて接続される重り４７によって鉛直下向きへの回転力が係っているが、ビス穴２３に挿入されるビス３０がストッパ４１を支えているため、ストッパ４１はその全長を保護カバー２０における開口１１と重畳する裏面に配置した状態を維持している。
【００３６】
本実施形態における保護カバー２０の正常な取り外し方は、実施形態１と同一である。すなわち、ビス３０を保護カバー２０から完全に外さずに、ビス３０がビス受け部１２から外れると共にビス３０がビス穴２３に挿入されている程度に留めれば、ストッパ４１は依然としてビス３０によって支えられるため、鉛直下向きに回転移動することがない。したがって、ストッパ４１が保護カバー２０をロックしないため、このまま保護カバー２０をキャビネット１０から容易に取り外すことができる。
【００３７】
図８は、保護カバー２０をロックする仕組みを説明する。例えば、保護カバー２０のロック機能を知らないユーザが、図８の１８２０に示すように、ドライバを用いてビス３０を保護カバー２０から完全に取り外したとする。これにより、ストッパ４１を支えるビス３０がなくなることにより、重り４７を支える力が消失するため、重り４７は鉛直下向きに移動する。結果、ストッパ４１はロープ４６に引っ張られて、鉛直下向きに回転移動する。その結果、ストッパ４１は、図８における紙面の右方向に回転移動し、支持部４４によって支えられる位置まで移動して停止する。その際、ストッパ４１の一部がキャビネット１０の重畳することによって、ストッパ４１が保護カバー２０をロックすることになる。したがって、ストッパ４１がキャビネット１０に引っかかるので、ユーザは保護カバー２０をキャビネット１０から正常に取り外すことができない。
【００３８】
以上のように、本実施形態では、ビス３０を保護カバー２０から完全に取り外した場合には、重り４７から受ける力によってストッパ４１が移動して保護カバー２０をロックするが、ビス３０を途中まで外した状態に留めた場合にはストッパ４１が移動せずに保護カバー２０をロックしないので、このような仕組みを知らないユーザが、メモリーチップ５２を保護する保護カバー２０をキャビネット１０から容易に取り外せないようにすることができる。
【００３９】
〔実施形態５〕
図９は、本発明の一実施形態に係るチップ装着部４Ｄの構成を示す図である。図９において、１９１０は、ビス３０がビス穴２３を通じてビス受け部１２にねじ込まれる状態のチップ装着部４Ｄの内部の裏面を示し、１９２０は、ビス３０が保護カバー２０から完全に外れた状態のチップ装着部４Ｄの内部の裏面を示す。本実施形態のテレビジョン装置１は、図９に示すチップ装着部４Ｄを備えている。チップ装着部４Ｄは、ストッパ４１および軸部４２を備えている点で、チップ装着部４と同一である。しかし、チップ装着部４Ｄは、バネ４３および支持部４４を備えていない。また、チップ装着部４Ｂは、キャビネット１０の裏面に配置される棒状の重り４８をさらに備えている。
【００４０】
チップ装着部４Ｄにおいて、ストッパ４１および軸部４２の配置は、チップ装着部４と同一である。重り４８の一端は、軸部４２に接続される。軸部４２を通じて、ストッパ４１および重り４７は連動して回転移動できるようになっている。
【００４１】
チップ装着部４Ｄにおいて、ビス３０がビス穴２３を通じてビス受け部１２にねじ込まれる状態では、ストッパ４１は、ビス３０に接している。さらに、重り４８は、鉛直方向に対して非平行に配置される。すなわち、重り４８の全長が、地面に対して斜めの角度をもって配置されている。図９では、重り４８における軸部４２に接続されない他端が、軸部４２に接続される一端よりも下方に位置する。これにより、重り４８には鉛直下向きへの回転力が係っており、その結果、重り４８と連動するストッパ４１にも、鉛直下向きへの回転力が係っている。しかし、ビス穴２３に挿入されるビス３０がストッパ４１を支えているため、ストッパ４１はその全長を保護カバー２０における開口１１と重畳する裏面に配置した状態を維持している。
【００４２】
本実施形態における保護カバー２０の正常な取り外し方は、実施形態１と同一である。すなわち、ビス３０を保護カバー２０から完全に外さずに、ビス３０がビス受け部１２から外れると共にビス３０がビス穴２３に挿入されている程度に留めれば、ストッパ４１に対する回転力が依然としてビス３０によって食い止められるため、ストッパ４１および重り４８が鉛直下向きに回転移動することがない。したがって、ストッパ４１が保護カバー２０をロックしないため、このまま保護カバー２０をキャビネット１０から容易に取り外すことができる。
【００４３】
図９は、保護カバー２０をロックする仕組みを説明する。例えば、保護カバー２０のロック機能を知らないユーザが、図９の１９２０に示すように、ドライバを用いてビス３０を保護カバー２０から完全に取り外したとする。これにより、ストッパ４１を支えるビス３０がなくなることにより、重り４８の回転移動を食い止める力が重り４８に働かなくなるため、重り４８は鉛直下向きに回転移動する。結果、ストッパ４１は重り４８に連動して同様に鉛直下向きに回転移動する。その結果、重り４８は、その全長が鉛直方向と平行になる位置まで移動して停止する。これにより、ストッパ４１は、図８における紙面の右方向に回転移動し、重り４８が停止する位置で同様に停止する。その際、ストッパ４１の一部がキャビネット１０に重畳することによって、ストッパ４１が保護カバー２０をロックすることになる。したがって、ストッパ４１がキャビネット１０に引っかかるので、ユーザは保護カバー２０をキャビネット１０から正常に取り外すことができない。
【００４４】
以上のように、本実施形態では、ビス３０を保護カバー２０から完全に取り外した場合には、重り４８から受ける力によってストッパ４１が移動して保護カバー２０をロックするが、ビス３０を途中まで外した状態に留めた場合にはストッパ４１が移動せずに保護カバー２０をロックしないので、このような仕組みを知らないユーザが、メモリーチップ５２を保護する保護カバー２０をキャビネット１０から容易に取り外せないようにすることができる。
【００４５】
〔まとめ〕
本発明の態様１に係る電子機器は、メモリーチップが着脱可能に装着される電子機器であって、ビス受け部を有し、かつ開口が形成されるキャビネットと、ビス穴を有し、かつ前記メモリーチップを保護する保護カバーと、前記ビス穴を通じて前記ビス受け部にねじ込まれることによって、前記保護カバーを前記キャビネットに固定するビスと、前記保護カバーの裏面に配置されるストッパであって、前記ビスが前記ビス穴を通じて前記ビス受け部にねじ込まれる第１状態では、前記ビスに接することによって前記保護カバーの裏面における前記開口に重畳する位置にストッパの全部が配置されると共に、前記ビスが前記保護カバーから取り外された第２状態では、前記キャビネットに重畳する位置にストッパの一部が配置されるストッパとを備えている構成である。
【００４６】
本発明の態様２に係る電子機器は、上記の態様１において、前記ストッパの一端に接続されると共に、前記ストッパを前記保護カバーの面方向において回動自在に保持する軸部と、前記ストッパの前記一端に接続されるバネとをさらに備えており、前記第１状態では、前記バネが伸びた状態で前記ストッパが前記ビスに接している構成としてもよい。
【００４７】
本発明の態様３に係る電子機器は、上記の態様１において、前記第１状態において、前記ストッパは、前記ビスにおける鉛直方向の上側において前記ビスによって支えられており、前記ストッパは、前記ビスが前記保護カバーから取り外されると、自由落下により前記ビスよりも鉛直方向の下方に移動し、前記ビスよりも鉛直方向の下側に配置され、前記第２状態において移動後の前記ストッパを支える支持部をさらに備えている構成としてもよい。
【００４８】
本発明の態様４に係る電子機器は、上記の態様１において、前記ストッパの一端に接続されると共に、前記ストッパを前記保護カバーの面方向において回動自在に保持する軸部をさらに備えており、前記第１状態では、前記ストッパが前記ビスにおける鉛直方向の上側に接している構成としてもよい。
【００４９】
本発明の態様５に係る電子機器は、上記の態様１において、前記ストッパの一端に接続されると共に、前記ストッパを前記保護カバーの面方向において回動自在に保持する軸部と、滑車と、前記滑車の外周に接すると共に、一端が前記ストッパに接続されるロープと、前記ロープの他端に接続される重りとをさらに備えている構成としてもよい。
【００５０】
本発明の態様６に係る電子機器は、上記の態様１において、前記ストッパの一端に接続されると共に、前記ストッパを前記保護カバーの面方向において回動自在に保持する軸部と、前記軸部に一端が接続される棒状の重りとをさらに備えており、前記第１状態では、前記重りが鉛直方向に対して非平行に配置される構成としてもよい。
【００５１】
〔付記事項〕
本開示は上述した各実施形態に限定されるものではなく、請求項に示した範囲で種々の変更が可能であり、異なる実施形態にそれぞれ開示された技術的手段を適宜組み合わせて得られる実施形態についても本開示の技術的範囲に含まれる。さらに、各実施形態にそれぞれ開示された技術的手段を組み合わせることにより、新しい技術的特徴を形成できる。
【符号の説明】
【００５２】
１  テレビジョン装置
２  表示パネル
４、４Ａ、４Ｂ、４Ｃ、４Ｄ  チップ装着部
１０  キャビネット
１１  開口
１３  リンク
２０  保護カバー
２２  キャップ
２３  ビス穴
２４  スリット
３０  ビス
４１、４１Ａ  ストッパ
４２  軸部
４３  バネ
４４  支持部
４５  滑車
４６  ロープ
５１  スロット
５２  メモリーチップ
【図１】
2020202544.tif 000003
【図２】
2020202544.tif 000004
【図３】
2020202544.tif 000005
【図４】
2020202544.tif 000006
【図５】
2020202544.tif 000007
【図６】
2020202544.tif 000008
【図７】
2020202544.tif 000009
【図８】
2020202544.tif 000010
【図９】
2020202544.tif 000011